(57)【要約】【課題】変形自由度の高さと生産性とを両立可能なプロテクタを提供すること。【解決手段】プロテクタ１は、内部に電線を収容可能な空間を有する筒形状を有し、電線の配索形状に対応した長尺形状を有する平板状の基部２と、基部に組み付けられる一又は複数の蓋部３と、を備える。基部２は、基部の幅方向の内側に向けて窪むように基部の長さ方向の双方の側縁に設けられる互いに向かい合う一対の凹部４であって、基部の長さ方向において所定の間隔を開けて複数の箇所に設けられる一対の凹部４を有する。一又は複数の蓋部３のうちの少なくとも一つは、凹部４が設けられた箇所を避けて基部に組み付けられる。【選択図】図１
2019149919.tif 000002
【特許請求の範囲】
【請求項１】
内部に電線を収容可能な空間を有する筒状のプロテクタであって、
前記電線の配索形状に対応した長尺形状を有する平板状の基部と、前記基部に組み付けられる一又は複数の蓋部と、を備え、
前記基部は、
該基部の幅方向の内側に向けて窪むように該基部の長さ方向の双方の側縁に設けられる互いに向かい合う一対の凹部であって、該基部の長さ方向において所定の間隔を開けて複数の箇所に設けられる一対の凹部を有し、
前記一又は複数の蓋部のうちの少なくとも一つは、
前記凹部が設けられた箇所を避けて前記基部に組み付けられる、
プロテクタ。
【請求項２】
請求項１に記載のプロテクタにおいて、
前記基部は、
同一の間隔ごとに複数の箇所に前記一対の凹部を有する、
プロテクタ。
【請求項３】
請求項１又は請求項２に記載のプロテクタにおいて、
前記基部は、
該プロテクタの筒内面及び筒外面の少なくとも一方に対応する面において、互いに向かい合う前記一対の凹部を繋ぐように設けられた溝部を、更に有する、
プロテクタ。
【請求項４】
請求項１〜請求項３の何れか一項に記載のプロテクタにおいて、
前記一又は複数の蓋部のうちの少なくとも一つは、
該プロテクタを所定の取付対象物に固定するための固定具、前記電線を前記空間から外部に引き出すための貫通孔、前記空間の外部において前記電線を保持するための保持具、のうちの少なくとも一つを、更に有する、
プロテクタ。
【請求項５】
内部に電線を収容可能な空間を有する筒状のプロテクタの製造方法であって、
前記プロテクタは、
前記電線の配索形状に対応した長尺形状を有する平板状の基部と、前記基部に組み付けられる一又は複数の蓋部と、を有し、
前記基部として、該基部の幅方向の内側に向けて窪むように該基部の長さ方向の双方の側縁に設けられる互いに向かい合う一対の凹部であって、該基部の長さ方向において所定の間隔を開けて複数の箇所に設けられる一対の凹部を有する基部を準備する工程と、
前記一又は複数の蓋部として、前記プロテクタの仕様ごとに異なる複数種類の前記蓋部を準備する工程と、
複数種類の前記蓋部の中から、前記プロテクタの仕様に対応した前記一又は複数の蓋部を選択すると共に、選択された前記一又は複数の蓋部のうちの少なくとも一つを前記凹部が設けられた箇所を避けて前記基部に組み付ける工程と、を備えた、
プロテクタの製造方法。
【発明の詳細な説明】
【技術分野】
【０００１】
本発明は、内部に電線を収容可能な空間を有する筒状のプロテクタ、及び、そのようなプロテクタの製造方法に関する。
【背景技術】
【０００２】
従来から、車両用のワイヤハーネス等に使用されるプロテクタが知られている（例えば、特許文献１，２を参照）。例えば、従来のプロテクタの一つは、複数の筒状部品が電線の延在方向に直交する軸周りに回転可能なヒンジ部によって連結された構造を有している。この従来のプロテクタは、ヒンジ部により、柔軟に湾曲可能になっている（例えば、特許文献１を参照）。
【先行技術文献】
【特許文献】
【０００３】
【特許文献１】特開平９−３２２３５６号公報
【特許文献２】特開２０１６−２０８５９４号公報
【発明の概要】
【発明が解決しようとする課題】
【０００４】
上述した従来のプロテクタは、例えば、個々の筒状部品の形状や大きさ等を変えることによって湾曲自由度を調整可能である。しかし、プロテクタの製造にあたり、種々異なる筒状部品を順序を誤ることなくヒンジ部によって連結しながら、個々の筒状部品に電線を挿通させる工程は煩雑であり、生産性を向上させ難い。また、従来のプロテクタは、ヒンジ部周りの回動に伴う湾曲のみが可能であるため、プロテクタの捻れ等に対応し難い。
【０００５】
本発明は、上述した事情に鑑みてなされたものであり、その目的は、変形自由度の高さと生産性とを両立可能なプロテクタ、及び、そのようなプロテクタの製造方法、を提供することにある。
【課題を解決するための手段】
【０００６】
前述した目的を達成するために、本発明に係るプロテクタは、下記（１）〜（４）を特徴としている。
（１）
内部に電線を収容可能な空間を有する筒状のプロテクタであって、
前記電線の配索形状に対応した長尺形状を有する平板状の基部と、前記基部に組み付けられる一又は複数の蓋部と、を備え、
前記基部は、
該基部の幅方向の内側に向けて窪むように該基部の長さ方向の双方の側縁に設けられる互いに向かい合う一対の凹部であって、該基部の長さ方向において所定の間隔を開けて複数の箇所に設けられる一対の凹部を有し、
前記一又は複数の蓋部のうちの少なくとも一つは、
前記凹部が設けられた箇所を避けて前記基部に組み付けられる、
プロテクタであること。
（２）
上記（１）に記載のプロテクタにおいて、
前記基部は、
同一の間隔ごとに複数の箇所に前記一対の凹部を有する、
プロテクタであること。
（３）
上記（１）又は上記（２）に記載のプロテクタにおいて、
前記基部は、
該プロテクタの筒内面及び筒外面の少なくとも一方に対応する面において、互いに向かい合う前記一対の凹部を繋ぐように設けられた溝部を、更に有する、
プロテクタであること。
（４）
上記（１）〜上記（３）の何れか一つに記載のプロテクタにおいて、
前記一又は複数の蓋部のうちの少なくとも一つは、
該プロテクタを所定の取付対象物に固定するための固定具、前記電線を前記空間から外部に引き出すための貫通孔、前記空間の外部において前記電線を保持するための保持具、のうちの少なくとも一つを、更に有する、
プロテクタであること。
【０００７】
上記（１）の構成のプロテクタによれば、基部の長さ方向の双方の側縁に、互いに向かい合う一対の凹部が長さ方向において間隔を開けながら複数の箇所に設けられる。更に、一又は複数の蓋部の少なくとも一つが、これら一対の凹部が設けられた箇所を避けるように、基部に組み付けられる。これにより、一対の凹部が取り付けられた複数の箇所のうち、蓋部の組み付けが避けられている箇所では、凹部が設けられている分だけ凹部が無い場合に比べて剛性が低くなり、プロテクタの長さ方向にも捻れ方向にも、変形し易くなる。即ち、変形自由度を向上できる。一方、一対の凹部が設けられた複数の箇所のうち、蓋部が組み付けられている箇所では、蓋部によって剛性が高まるため、変形を抑制できる。このように、蓋部の組み付け方により、プロテクタの変形自由度を自在に調整可能となる。
【０００８】
更に、上記構成のプロテクタによれば、実際に電線を収容する際、基部に沿って電線を配置した後、プロテクタの仕様に合わせて選択した蓋部を、基部に被せながら組み付ければよい。従来のプロテクタのように一つ一つの筒状部品に電線を挿通させる工程を要さないため、従来のプロテクタに比べ、生産性を向上させ易い。
【０００９】
上記（２）の構成のプロテクタによれば、同一の間隔を開けるように基部の複数の箇所に一対の凹部が設けられる。これにより、プロテクタの仕様にかかわらず基部の構成を共通化すると共に、変形自由度の調整を蓋部によって担うように、プロテクタを構成できる。よって、プロテクタの変形自由度の高さを維持しながら、プロテクタの生産性を更に向上できる。
【００１０】
上記（３）の構成のプロテクタによれば、基部が、プロテクタの筒内面および筒外面の少なくとも一方に対応する面において、互いに向かい合う一対の凹部を繋ぐように設けられた溝部を更に有する。溝部によって基部の剛性を低くできるため、基部が一対の凹部だけを有する場合に比べ、更にプロテクタの変形自由度を高められる。
【００１１】
上記（４）の構成のプロテクタによれば、蓋部が、単に基部を覆うだけでなく種々の付加機能を有することになる。これにより、プロテクタの変形自由度や生産性を維持しながら、プロテクタとしての有用性を向上できる。
【００１２】
前述した目的を達成するために、本発明に係るプロテクタの製造方法は、下記（５）を特徴としている。
（５）
内部に電線を収容可能な空間を有する筒状のプロテクタの製造方法であって、
前記プロテクタは、
前記電線の配索形状に対応した長尺形状を有する平板状の基部と、前記基部に組み付けられる一又は複数の蓋部と、を有し、
前記基部として、該基部の幅方向の内側に向けて窪むように該基部の長さ方向の双方の側縁に設けられる互いに向かい合う一対の凹部であって、該基部の長さ方向において所定の間隔を開けて複数の箇所に設けられる一対の凹部を有する基部を準備する工程と、
前記一又は複数の蓋部として、前記プロテクタの仕様ごとに異なる複数種類の前記蓋部を準備する工程と、
複数種類の前記蓋部の中から、前記プロテクタの仕様に対応した前記一又は複数の蓋部を選択すると共に、選択された前記一又は複数の蓋部のうちの少なくとも一つを前記凹部が設けられた箇所を避けて前記基部に組み付ける工程と、を備えた、
プロテクタの製造方法であること。
【００１３】
上記（５）の構成のプロテクタの製造方法によれば、生産されるプロテクタが、基部の長さ方向の双方の側縁に、互いに向かい合う一対の凹部が長さ方向において間隔を開けながら複数の箇所に有することになる。更に、一又は複数の蓋部の少なくとも一つが、これら一対の凹部が設けられた箇所を避けるように、基部に組み付けられることになる。これにより、一対の凹部が設けられた複数の箇所のうち、蓋部の組み付けが避けられている箇所では、凹部が設けられている分だけ凹部が無い場合に比べて剛性が低くなり、プロテクタの長さ方向にも捻れ方向にも、変形し易くなる。即ち、変形自由度を向上できる。一方、一対の凹部が設けられた複数の箇所のうち、蓋部が組み付けられている箇所では、蓋部によって剛性が高まるため、変形を抑制できる。このように、プロテクタの仕様に対応した蓋部を選択して組み付けることで、プロテクタの変形自由度を自在に調整可能となる。
【００１４】
更に、上記構成のプロテクタの製造方法によれば、実際に電線を収容する際、基部に沿って電線を配置した後、プロテクタの仕様に合わせて選択した蓋部を、基部に被せながら組み付ければよい。そのため、従来のプロテクタのように一つ一つの筒状部品に電線を挿通させる工程を要さないため、従来のプロテクタの製造方法に比べ、生産性を向上させ易い。
【発明の効果】
【００１５】
本発明によれば、変形自由度の高さと生産性とを両立可能なプロテクタ、及び、そのようなプロテクタの製造方法を提供できる。
【００１６】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１７】
【図１】図１は、本発明の実施形態に係るハーネスプロテクタの分解斜視図である。
【図２】図２は、本発明の実施形態に係るハーネスプロテクタの斜視図である。
【図３】図３は、ワイヤハーネスの斜視図である。
【図４】図４（ａ）〜図４（ｃ）は、本発明の実施形態に係るワイヤハーネスの製造方法をその工程順に示す斜視図である。
【図５】図５は、本発明の別形態に係るハーネスプロテクタの平面図である。
【図６】図６（ａ）は、図５のハーネスプロテクタを斜め下方から見た斜視図であり、図６（ｂ）は、図６（ａ）のＡ−Ａ線断面図である。
【図７】図７は、本発明の別形態に係るハーネスプロテクタの分解斜視図である。
【図８】図８は、本発明の別形態に係るハーネスプロテクタの分解斜視図である。
【図９】図９は、ワイヤハーネスの固定構造の一例を示す斜視図である。
【図１０】図１０は、ワイヤハーネスの固定構造の一例を示す斜視図である。
【図１１】図１１は、ワイヤハーネスの固定構造の一例を示す斜視図である。
【図１２】図１２は、ハーネスプロテクタの蓋部に設けられた固定手段の一例を示す斜視図である。
【図１３】図１３は、ワイヤハーネスの分岐した電線の一部をハーネスプロテクタから取り出す構造を示す分解斜視図である。
【図１４】図１４は、ハーネスプロテクタの蓋部にワイヤーを抱き合わせる構造を示す斜視図である。
【図１５】図１５は、ワイヤハーネスのラゲージアームへの取付例を示す斜視図である。
【発明を実施するための形態】
【００１８】
＜実施形態＞
以下、図面を参照しながら、本発明の実施形態に係るプロテクタ１、及び、プロテクタ１の製造方法について説明する。
【００１９】
図１は本発明に係るプロテクタ１の分解斜視図、図２は同プロテクタ１の斜視図である。本発明に係るプロテクタ１は、図１に示すように、図中上方が開口したチャンネル状の形状を有するベース部２と、ベース部２の上面開口部を覆うように組み付けられる図中下方が開口した逆チャンネル状の形状を有する複数の蓋部３（図１には１つの蓋部３のみ図示）によって構成され、偏平な四角筒状の形状を有している。なお、ベース部２と複数の各蓋部３は、樹脂の射出成形等によって成形されている。
【００２０】
ベース部２は、後述のワイヤハーネス１０（図３参照）の延在方向に長い長尺の矩形平板状の底板２Ａと、底板２Ａの幅方向両端に垂直に起立する一対の側板２Ｂとを有する。側板２Ｂの高さは、底板２Ａの幅よりも小さい。また、一対の側板２Ｂの複数箇所には、互いに向かい合う一対の縦方向の切欠き４が、長さ方向において所定の間隔を開けて長手方向に沿って形成されている。よって、ベース部２には、複数の切欠き４によって所定間隔に区切られた複数の区切り部２ａが長手方向に沿って形成されている。換言すると、ベース部２の幅方向の内側に向けて窪むように、ベース部２の長さ方向の双方の側縁（側板２Ｂ）に設けられる互いに向かい合う一対の凹部（切欠き４）が、ベース部２の長さ方向において所定の間隔を開けて複数の箇所に設けられている。そして、ベース部２の各区切り部２ａにおける一対の側板２Ｂの外面には係合爪５（図１には一方の側板２Ｂに突設されたもののみ図示）がそれぞれ一体に突設されている。本例では、切欠き４は、底板２Ａの幅方向両端から幅方向内側に向けて側板２Ｂの厚さに相当する長さ（切欠き深さ）だけベース部２（＝底板２Ａ＋側板２Ｂ）を切り欠くように、構成されている。この切欠き深さは、側板２Ｂの厚さに相当する長さに限らず、側板２Ｂの厚さに相当する長さよりも大きくてもよい。切欠き深さが大きくなるほど、プロテクタ１の変形自由度が高まることになる。
【００２１】
また、複数の各蓋部３は、矩形平板状の上板３Ａと、上板３Ａの幅方向両端から垂直下方に向かって一体に突設された一対の側板３Ｂとで逆チャンネル状に一体成形されており、一対の側板３Ｂの所定箇所（ベース部２の一対の側板２Ｂの各外面に突設された係合爪５に対応する箇所）には、矩形の係合孔６がそれぞれ形成されている。ここで、各蓋部３の内幅ｗは、ベース部２の外幅Ｗよりも僅かに大きく設定されており（ｗ＞Ｗ）、ベース部２の各側板２Ｂに形成された切欠き４の幅はδに設定されている。なお、ベース部２の側板２Ｂと蓋部３の側板３Ｂの高さ寸法は、略同じに設定されている。
【００２２】
そして、複数の各蓋部３は、一対の側板３Ｂを下方に向けた状態でベース部２の各区切り部２ａに上方から被せられる。これにより、各蓋部３の一対の側板３Ｂの各内面がベース部２の一対の側板２Ｂの各外面に接触し、その状態で蓋部３を下方へと押し込むことによって、蓋部３の一対の側板３Ｂに形成された係合孔６に、ベース部２の一対の側板２Ｂに突設された係合爪５が係合する。よって、各蓋部３がベース部２に簡単な作業で取り付けられ、ベース部２の各区切り部２ａの上面開口部が各蓋部３によってそれぞれ覆われる。なお、本実施形態では、プロテクタ１のベース部２に係合爪５を突設し、蓋部３に係合孔６を形成したが、これとは逆に、ベース部２に係合孔を形成し、蓋部３に係合爪を突設しても良い。
【００２３】
以上のように複数の蓋部３をベース部２に取り付けることにより、図２に示す薄型で偏平な矩形筒状のプロテクタ１が組み立てられる。プロテクタ１の内部には、長手方向に長い偏平な矩形中空状の電線収容空間Ｓが形成される。このプロテクタ１の電線収容空間Ｓに複数の電線１１を通すことによって、図３に示すワイヤハーネス１０が構成される。なお、各電線１１として、例えば、多数本の金属素線を絶縁層によって被覆して構成される被覆電線が使用される。ここで、ワイヤハーネス１０の製造方法を図４（ａ）〜図４（ｃ）を参照しながら説明する。
【００２４】
即ち、図４（ａ）〜図（ｃ）はワイヤハーネス１０の製造方法をその工程順に示す斜視図である。ワイヤハーネス１０の製造に際し、先ず、プロテクタ１の一部を構成する図４（ａ）に示すベース部２が樹脂による射出成形によって一体成形される。ここで、ベース部２の構成の詳細についての再度の説明は省略するが、ベース部２は、矩形平板状の底板２Ａと、底板２Ａの幅方向両端に垂直に起立する一対の側板２Ｂとを有し、一対の側板２Ｂの相対向する複数箇所に縦方向の切欠き４が長手方向において所定の間隔を開けて構成されている。
【００２５】
次いで、図４（ｂ）に示すように、ベース部２を一対の側板２Ｂが垂直に起立する状態で不図示の台の上に設置した状態で、ベース部２の底板２Ａ上に長手方向に沿って複数の電線１１を載置する。そして、図４（ｃ）に示すように、複数の各蓋部３をベース部２に取り付けてベース部２の上面開口部を各蓋部３によって覆う。これにより、図２に示すプロテクタ１が組み立てられると共に、プロテクタ１の内部に形成された電線収容空間Ｓ（図２参照）に複数の電線１１が通された図３に示すワイヤハーネス１０が効率良く製造される。
【００２６】
そして、図３に示すワイヤハーネス１０においては、複数の電線１１がプロテクタ１によって覆われて保護されるため、これらの電線１１の衝撃による破損や切断等が確実に防がれる。
【００２７】
そして、図２に示すプロテクタ１は、偏平で薄型であるとともに、ベース部２の側板２Ｂに形成された複数の切欠き４を起点として湾曲することが可能な柔軟性を有する。このため、本発明に係るプロテクタ１及びこれを備えるワイヤハーネス１０は、取付部位を限定することなく使用することができるスリムで見栄えの良いものとなる。なお、プロテクタ１を曲げることができる範囲は、例えば、ベース部２の側板２Ｂに形成された切欠き４の幅δ（図１参照）を変えることによって調整することができる。具体的には、切欠きの幅δを大きくすれば、プロテクタ１を一層大きく曲げることができる。
【００２８】
ところで、上述したプロテクタ１においては、ベース部２の一対の各側板２Ｂのみに切欠き４を形成した。一方、図５及び図６に示すように、ベース部２の底板２Ａの一部（幅方向両端縁付近）まで切欠き４を延ばせば、プロテクタ１をより大きく曲げることができ、更に、図６に示すように捩ることもできる。よって、取付部の多少の捩れに対しても追従させることができる。なお、図５はプロテクタの平面図、図６（ａ）はプロテクタを斜め下方から見た斜視図、図６（ｂ）は図６（ａ）のＡ−Ａ線断面図である。
【００２９】
次いで、本発明に係るプロテクタ１とこれを備えるワイヤハーネス１０の別形態と使用例について説明する。
【００３０】
プロテクタ１においては、必ずしも、ベース部２に形成された複数の区切り部２ａ（図１参照）のそれぞれを蓋部３で覆う必要はない。例えば、図７の斜視図に示すように、プロテクタ１の設置場所に所定長さのストレート部が存在する場合、そのストレート部に対応するベース部２の複数の区切り部２ａ（図１参照）を長さの長い１つの蓋部３Ｘで覆ってもよい。本構成により、蓋部３の数を削減することができるとともに、蓋部３の組付工数を削減してコストダウンを図ることができる。
【００３１】
また、図８の斜視図に示すように、ワイヤハーネス１０の電線１１の一部が分岐して２つのベース部２の間の隙間から外に導出しているような場合、蓋部３Ｙによって２つのベース部２を繋ぐとともに、蓋部３Ｙに形成された矩形平板状のカバー部３ａｙによって、分岐した電線１１を覆っても良い。カバー部３ａｙに電線１１をテープ巻きすることで、蓋部３Ｙに電線１１を固定してもよい。
【００３２】
更に、プロテクタ１を構成する一部の蓋部３に、ワイヤハーネス１０を設置場所に固定するための各種固定手段を設けても良い。例えば、図９の斜視図に示すように、プロテクタ１の任意の２つの蓋部３の上面にピン状のクリップ７を垂直に立設し、設置場所に予め準備したクリップ穴（図示省略）にクリップ７を係合させることにより、ワイヤハーネス１０を設置場所に固定できる。
【００３３】
また、図１０の斜視図に示すように、プロテクタ１の任意の２つの蓋部３からブラケット３ａをそれぞれ水平に延ばし、各ブラケット３ａの先端にピン状のクリップ７を設けてもよい。これにより、クリップ７が係合される場所から下方に図示のε１だけオフセットした場所に、ワイヤハーネス１０を設置できる。
【００３４】
更に、図１１の斜視図に示すように、プロテクタ１の任意の２つの蓋部３の一対の側板３Ｂを垂直に延設し、その延長部に円孔状の取付孔８をそれぞれ形成すれば、不図示のボルト等の締結具を用いることで、ワイヤハーネス１０を取付箇所から下方に図示のε２だけオフセットさせて取付部（不図示）に固定することができる。
【００３５】
その他の固定手段としては、図１２に示すように、プロテクタ１の蓋部３の上面に２つのフック９を平行に立設したものが考えられる。これによれば、蓋部３を図示矢印方向にスライドさせて取付部側の被係合部１２に係合させることによって不図示のワイヤハーネスを設置場所に固定することができる。
【００３６】
また、図１３の斜視図に示すように、プロテクタ１の蓋部３に、ワイヤハーネスの分岐した一部の電線１１を取り出すための開口部１３を有しても良い。更に、図１４の斜視図に示すように、プロテクタの蓋部３の側部に、ワイヤー１４を抱き合わせるための円弧状の２つのフック部３ａを一体に有しても良い。
【００３７】
次いで、本発明に係るプロテクタ１を備えるワイヤハーネス１０をラゲージアーム２０へ取り付けた例を図１５に示す。
【００３８】
即ち、図１５はワイヤハーネス１０のラゲージアーム２０への取付例を示す斜視図である。ラゲージアーム２０は、Ｕ字状に屈曲する金属製の矩形パイプで構成されており、車両のラゲージルーム（トランクルーム）を開閉する不図示のラゲージドアを車体に対して開閉可能に支持するようになっている。ラゲージアーム２０は、車両の左右にそれぞれ設けられている（図１５には一方のみ図示）。
【００３９】
より詳細には、左右の各ラゲージアーム２０は、車体に固定されたブラケット２１に、車体側の一端が軸２２によって上下に回動可能に支持されており、車体後方（図１５の斜め右方）に延びる他端が不図示のラゲージドアに固定されている。そして、ラゲージアーム２０の車体側の一端部には、リンク２３の一端が連結されており、リンク２３の他端は、バネ部材２４に連結され、このバネ部材２４の他端は、ブラケット２１に連結されている。
【００４０】
本例では、上述したように柔軟性に優れるワイヤハーネス１０がラゲージアーム２０の下面に沿って配索されている。偏平な矩形筒状のプロテクタ１の内部に挿通する複数の電線（電線群）１１の車体側の一端には、コネクタ２５が取り付けられており、同電線（電線群）１１の他端には、不図示のコネクタが取り付けられている。ワイヤハーネス１０は、車体側に設けられたバッテリ等の不図示の電源とラゲージドア側に設けられたテールランプやストップランプ等の不図示の電装品とを電気的に接続する。
【００４１】
ここで、ワイヤハーネス１０のプロテクタ１は、ラゲージアーム２０の下面に密着するように湾曲させながら、複数の蓋部３（図１参照）がラゲージアーム２０の下面に密着するように取り付けられている。よって、プロテクタ１のベース部２（図１参照）の連続した平面を成す底板２Ａ（図１参照）の平坦な外面が外部に露出することとなるため、このプロテクタ１が取り付けられたラゲージアーム２０の外観性が高められる。そして、従来必要であったアームカバーが不要となって、部品点数の削減とコストダウンが図られる。また、アームカバーが占めていたスペース分だけラゲージルーム（トランクルーム）の容積を拡大することができる。更に、元々アームカバーを設定していないグレードの車両においても、本発明に係るプロテクタ１を用いることによって高い商品性を確保することができる。
【００４２】
なお、以上は本発明に係るプロテクタ１を備えるワイヤハーネス１０のラゲージアーム２０への取付例について説明したが、プロテクタ１は、湾曲部分を有する他の任意の取付部に沿って配索することができる。当然に、湾曲部分を有さない他の任意の取付部に沿って配索することもできる。プロテクタ１を用いることで、ワイヤハーネス１０がスリムで見栄えの良いものとなる。
【００４３】
なお、本発明は、以上説明した各実施の形態にその適用が限定される訳ではなく、本発明の範囲内において適宜変形や改良等が可能であることは勿論である。また、以上説明した実施の形態における各構成要素の材質、形状、寸法、数量、配置箇所等は、本発明の目的を逸脱しない限り任意であって、何ら限定されるものではない。
【００４４】
＜他の形態＞
なお、本発明は上記各実施形態に限定されることはなく、本発明の範囲内において種々の変形例を採用することができる。例えば、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００４５】
ここで、上述した本発明に係るプロテクタ及びプロテクタの製造方法の実施形態の特徴をそれぞれ以下（１）〜（５）に簡潔に纏めて列記する。
（１）
内部に電線を収容可能な空間を有する筒状のプロテクタ（１）であって、
前記電線の配索形状に対応した長尺形状を有する平板状の基部（２）と、前記基部に組み付けられる一又は複数の蓋部（３）と、を備え、
前記基部（２）は、
該基部の幅方向の内側に向けて窪むように該基部の長さ方向の双方の側縁に設けられる互いに向かい合う一対の凹部（４）であって、該基部の長さ方向において所定の間隔を開けて複数の箇所に設けられる一対の凹部（４）を有し、
前記一又は複数の蓋部（３）のうちの少なくとも一つは、
前記凹部（４）が設けられた箇所を避けて前記基部に組み付けられる、
プロテクタ。
（２）
上記（１）に記載のプロテクタにおいて、
前記基部（２）は、
同一の間隔ごとに複数の箇所に前記一対の凹部（４）を有する、
プロテクタ。
（３）
上記（１）又は上記（２）に記載のプロテクタにおいて、
前記基部（２）は、
該プロテクタ（１）の筒内面及び筒外面の少なくとも一方に対応する面において、互いに向かい合う前記一対の凹部を繋ぐように設けられた溝部を、更に有する、
プロテクタ。
（４）
上記（１）〜上記（３）の何れか一つに記載のプロテクタにおいて、
前記一又は複数の蓋部のうちの少なくとも一つは、
該プロテクタを所定の取付対象物に固定するための固定具（７，８，９）、前記電線を前記空間から外部に引き出すための貫通孔（１３）、前記空間の外部において前記電線を保持するための保持具（３ａ）、のうちの少なくとも一つを、更に有する、
プロテクタ。
（５）
内部に電線（１１）を収容可能な空間を有する筒状のプロテクタ（１）の製造方法であって、
前記プロテクタ（１）は、
前記電線の配索形状に対応した長尺形状を有する平板状の基部（２）と、前記基部に組み付けられる一又は複数の蓋部（３）と、を有し、
前記基部として、該基部の幅方向の内側に向けて窪むように該基部の長さ方向の双方の側縁に設けられる互いに向かい合う一対の凹部（４）であって、該基部の長さ方向において所定の間隔を開けて複数の箇所に設けられる一対の凹部（４）を有する基部を準備する工程と、
前記一又は複数の蓋部（３）として、前記プロテクタ（１）の仕様ごとに異なる複数種類の前記蓋部（３）を準備する工程と、
複数種類の前記蓋部（３）の中から、前記プロテクタ（１）の仕様に対応した前記一又は複数の蓋部（３）を選択すると共に、選択された前記一又は複数の蓋部（３）のうちの少なくとも一つを前記凹部（４）が設けられた箇所を避けて前記基部（２）に組み付ける工程と、を備えた、
プロテクタの製造方法。
【符号の説明】
【００４６】
１        プロテクタ
２        ベース部（基部）
２Ａ      ベース部の底板
２Ｂ      ベース部の側板
２ａ      ベース部の区切り部
３        蓋部
３Ａ      蓋部の上板
３Ｂ      蓋部の側板
４        切欠き（凹部）
５        係合爪
６        係合孔
７        クリップ（固定具）
８        取付孔（固定具）
９        フック（固定具）
１０      ワイヤハーネス
１１      電線
１３      蓋部の電線取出用開口部
Ｓ        電線収容空間
【図１】
2019149919.tif 000003
【図２】
2019149919.tif 000004
【図３】
2019149919.tif 000005
【図４】
2019149919.tif 000006
【図５】
2019149919.tif 000007
【図６】
2019149919.tif 000008
【図７】
2019149919.tif 000009
【図８】
2019149919.tif 000010
【図９】
2019149919.tif 000011
【図１０】
2019149919.tif 000012
【図１１】
2019149919.tif 000013
【図１２】
2019149919.tif 000014
【図１３】
2019149919.tif 000015
【図１４】
2019149919.tif 000016
【図１５】
2019149919.tif 000017